(57)【特許請求の範囲】
【請求項１】
２つのカバーからなる搬送ケースにおけるカバー脱着装置において、
前記搬送ケースの上部に配設された駆動スプロケットを有し、
前記駆動スプロケットは、駆動軸に対して遊転自在に装着され、スプリングピンでスラスト方向の抜け止めとなっており、
前記スプリングピンは、前記駆動スプロケットの嵌合溝と前記駆動軸の嵌合溝とに嵌合した状態になっており、
前記駆動スプロケットの前面にはピン溝があり、前記ピン溝に嵌合する駆動伝達ピンが支軸に突設され、前記支軸は前記一方のカバーの裏面の軸受で回転自在に支持され、前記駆動軸は、前記支軸の先端が嵌合する軸溝を備えたことを特徴とする搬送ケースにおけるカバー脱着装置。
【発明の詳細な説明】
【０００１】
【産業上の利用分野】
本発明は、例えば、コンバインやバインダー等の引起しケースや穂先搬送ケース等の搬送ケースにおけるカバー脱着装置に関するものである。
【０００２】
【従来の技術】
従来の引起しケースは、実開平１−１５５７３３号公報で知られているように、後面カバー上端に係止金具を設けて前面カバー上端に設けたフックを係脱可能とすると共に、前面カバー取付時に後面カバー下部に立設したピンを前面カバーを貫通させて、前面カバーに設けた係止レバーを前記ピンに係脱可能に設けている。この引起しケースにおいては、前面カバーに設けた係止レバーを後面カバー下部に立設したピンから外すと、前面カバーを引起しケースから外すことができ、これによって内部を点検できる。
【０００３】
図５のコンバインの全体構成から説明すると、機体前方に刈取フレーム（１）が突出され、該刈取フレーム（１）は油圧シリンダー（２）にて昇降可能とされ、該刈取フレーム（１）前端に分草板（３）が固設され、該分草板（３）後部に引起しケース（４）が立設されている。
【０００４】
刈取フレーム（１）の引起しケース（４）後部に刈刃（５）が配設され、その上方に下部搬送装置（６）、上部搬送装置（７）が配設されて、穀稈の株元は下部搬送装置（６）より縦搬送装置（８）を介してフィードチェン（９）に受け継がれ、穂先部は上部搬送装置（７）より脱穀装置（１０）に搬送されて脱穀される。
【０００５】
引起しケース（４）は刈取搬送ギヤボックス（１１）より引起しケース上部に配設した、図６に示すスプロケット（１２）を駆動し、駆動スプロケット（１２）と遊転スプロケット（１３）及び引起しケース（４）下部に設けた従動スプロケット（１４）の間にチェーン（１５）を巻回し、該チェーン（１５）上にタイン（１６）を一定間隔をおいて枢支し、タイン（１６）を突出させて上方へ回動することにより倒伏穀稈を引起すようになっている。
【０００６】
引起しケース（４）は図７に示す如く前面カバー（４ａ）と後面カバー（４ｂ）とからなっており、穀稈を起こすタイン（１６）を真横に突出させるためにタインガイド（１７）が後面カバー（４ｂ）上に固設されている。
又、後面カバー（４ｂ）の下部中央に基台（１８）を固設して基台（１８）上にピン（１９）を立設し、ピン（１９）上部にくびれ部（１９ａ）を設けている。
【０００７】
他方前面カバー（４ａ）上にはピン（１９）と合致する位置にピン孔（４ｄ）が開口され、その下方にレバー取付台（２０）をボルト固定し、レバー取付台（２０）上に軸孔（２１）を開口して軸孔（２１）に係止レバー（２２）の回転軸（２３）を挿入している。
又、図６に示す如く後面カバー（４ｂ）上端には係止金具（２４）が設けられ、前面カバー（４ａ）上端に設けたフック（２５）がこれに係脱自在となっている。
【０００８】
そこで、前面カバー（４ａ）の上端に設けたフック（２５）を係止金具（２４）に係止して後面カバー（４ｂ）上に突設したピン（１９）を前面カバー（４ａ）のピン孔（４ｄ）を貫通して突出させ、係止レバー（２２）を回動してピン（１９）のくびれ部（１９ａ）に係止させることにより前面カバー（４ａ）を後面カバー（４ｂ）に固定できる。逆に係止レバー（２２）をピン（１９）から解除して持ち上げながら上方へずらすと前面カバー（４ａ）を後面カバー（４ｂ）から取外すことができる。
【０００９】
以上の如く、係止レバー（２２）をピン（１９）から解除して持ち上げながら上方へずらすと、前面カバー（４ａ）を取外すことができる。
【００１０】
【発明が解決しようとする課題】
しかしながら、前面カバーを外した際、引起しタインが駆動されていると作業者の手が機械に巻き込まれる恐れがあり危険である。また、タインがカバーによるタイン押えがなくなることから、タインガイドに引掛ることがある。
そこで、本発明は、以上のような問題点を解消するために、カバーを外しても機械に巻き込まれない、安全に作業ができる搬送チェーンケースにおけるカバー脱着装置を提供することを目的とするものである。
【００１１】
【課題を解決するための手段】
本発明は、上記目的を達成するため、２つのカバーからなる搬送ケースにおけるカバー脱着装置において、前記搬送ケースの上部に配設された駆動スプロケットを有し、前記駆動スプロケットは、駆動軸に対して遊転自在に装着され、スプリングピンでスラスト方向の抜け止めとなっており、前記スプリングピンは、前記駆動スプロケットの嵌合溝と前記駆動軸の嵌合溝とに嵌合した状態になっており、前記駆動スプロケットの前面にはピン溝があり、前記ピン溝に嵌合する駆動伝達ピンが支軸に突設され、前記支軸は前記一方のカバーの裏面の軸受で回転自在に支持され、前記駆動軸は、前記支軸の先端が嵌合する軸溝を備えたことを特徴とする搬送ケースにおけるカバー脱着装置を提供する。
【００１２】
【作用】
前面カバーを外すと、駆動軸と駆動スプロケットとを結合していた前面カバーの駆動伝達ピンが駆動スプロケットのピン溝から外れるので駆動スプロケットは駆動されず、したがって安全に内部を点検できる。
【００１３】
【実施例】
以下、図面に示す実施例について説明する。
図１において、駆動スプロケット（１２）は駆動軸（２６）に対して遊転自在に装置され、スプリングピン（２７）でスラスト方向の抜け止めとなっている。したがって、スプリングピン（２７）は駆動スプロケット（１２）の嵌合溝（２８）と駆動軸（２６）の嵌合溝（２９）とに嵌合した状態となっている。
駆動スプロケット（１２）の前面にはピン溝（３０）があり、これに嵌合する駆動伝達ピン（３１）が支軸（３２）に突設され、支軸（３２）は前面カバー（４ａ）裏面の軸受（３３）で回転自在に支持されている。そして、駆動軸（２６）には支軸（３２）先端が嵌合する軸溝（３４）がある。
【００１４】
支軸（３２）が駆動軸（２６）の軸溝（３４）に嵌まり、駆動伝達ピン（３１）が駆動スプロケット（１２）のピン溝（３０）に嵌まっている状態で、前面カバー（４ａ）が後面カバー（４ｂ）に結合されていると駆動軸（２６）からの動力が駆動スプロケット（１２）に伝達される。
しかし、前面カバー（４ａ）を後面カバー（４ｂ）から外すと駆動伝達ピン（３１）は駆動スプロケット（１２）のピン溝（３０）から外れるので、駆動スプロケット（１２）と駆動軸（２６）との結合がとかれ、駆動軸（２６）の動力は駆動スプロケット（１２）に伝わらない。
【００１５】
したがって、前面カバー（４ａ）は外すと駆動が伝わらないため、機械に作業者の手が巻き込まれず安全に作業ができる。
前面カバーを外したときタインが駆動されていないので、タインがタインガイドに引掛かるということもない。
【００１６】
前面カバー（４ａ）を取付けると支軸（３２）の駆動伝達ピン（３１）が駆動スプロケット（１２）のピン溝（３０）に嵌まるので、駆動スプロケット（１２）は駆動軸（２６）に結合されて駆動スプロケット（１２）は駆動されることになる。
【００１７】
図３、図４に示すピン構造はカバー装置時にカバー側のピン（３１）がスプロケット側（１２）のピン溝（３０）に確実に挿入できる構造を示している。
支軸（３２）にスライド溝（３６）を形成し，支軸（３２）内の空洞孔（３７）に装置したスプリング（３５）で駆動伝達ピン（３１）を常時押圧している。
駆動伝達ピン（３１）がピン溝（３０）に嵌合しないと図４の如く駆動伝達ピン（３１）はスプリング（３５）の力に抗してスライド溝（３６）中を後退しており、駆動スプロケット（１２）の回転により駆動伝達ピン（３１）がピン溝（３０）に嵌合するとスプリング（３５）で前進してピン溝（３０）に確実に嵌合する。
【００１８】
従って、駆動軸（２６）からの動力は駆動スプロケット（１２）に伝達されることになる。
以上何れにしても本発明はカバーを外したとき、駆動軸とその駆動スプロケットをフリーにすることができるもので、これによって駆動が伝わらないため、作業者が機械に巻き込まれるという危険はない。
なお、搬送チェーンケースとして引起しケースについて説明したが、穂先搬送ケースにも適用できるものである。
【００１９】
【発明の効果】
本発明によれば、カバーを外すと駆動伝達ピンと駆動スプロケットのピン溝との結合がとかれ、駆動スプロケットは駆動軸からはフリーとなって動力が駆動スプロケットに伝わらないから機械に作業者が巻き込まれるという恐れはなく、しかもカバーを外した時、刈取部が駆動されていてもタインは駆動されていないからタインがタインガイドに引掛かることがない。
【図面の簡単な説明】
【図１】本発明に係る搬送チェーンケースにおけるカバー脱着装置を示すカバーを外したときの一部断面図
【図２】本発明に係る搬送チェーンケースにおける駆動スプロケットのピン溝と駆動伝達ピンとの係合状態を示す正面図
【図３】本発明に係る搬送チェーンケースにおけるカバー装着時にカバー側のピンがスプロケット側の溝に入った状態を示す一部断面図
【図４】本発明に係る搬送チェーンケースにおけるカバー装着時にカバー側のピンがスプロケット側の溝に入らない状態を示す一部断面図
【図５】従来技術に係るコンバインの前部側面図
【図６】従来技術に係る引起しケースの平面図
【図７】従来技術に係る下部側面断面図
【符号の説明】
12    駆動スプロケット
27    スプリングピン
30    ピン溝
31    駆動伝達ピン
32    支軸
【図１】
0003563491.tif 000002
【図２】
0003563491.tif 000003
【図３】
0003563491.tif 000004
【図４】
0003563491.tif 000005
【図５】
0003563491.tif 000006
【図６】
0003563491.tif 000007
【図７】
0003563491.tif 000008